(57)【要約】【課題】容易な搬送と、その搬送を図るための組立て分解方式、かつ目的達成の構造を備える高架式等の給水栓を提供する。【解決手段】高架式等の給水栓は、地中、又は地上の消火栓に着脱自在に設けた第１管１と、この第１管１に設け、かつ着脱自在とした弁筐２と、この弁筐２に設けた支持管となる第２管と、この第２管に回転機構を介して連繋する第５管と、この第５管に、着脱自在に設けた複数の給水管１００であって、少なくとも、二本の管で、かつこの二本の管は、それぞれ着脱自在とした第６管８、並びに第８管１０であり、かつこの第８管１０の上端には開口を有する高架式等の給水栓において、前記第１管１に遊嵌した、少なくとも、２つの第１・第２支持リングと、この第１支持リングに設けた複数本の拡縮する第１脚〜第３脚と、この第１脚〜第３脚と前記第２支持リングを繋ぐ複数本の第１リンク〜第３リンクを備える構成とした。【選択図】図１０
2020066900.tif 000002
【特許請求の範囲】
【請求項１】
地中、又は地上の消火栓に着脱自在に設けた第１管と、この第１管に設け、かつ着脱自在とした弁筐と、この弁筐に設けた支持管となる第２管と、この第２管に回転機構を介して連繋する第５管と、この第５管に、着脱自在に設けた複数の給水管であって、少なくとも、二本の管で、かつこの二本の管は、それぞれ着脱自在とした第６管、並びに第８管であり、かつこの第８管の上端には開口を有する高架式等の給水栓において、
前記第１管に遊嵌した、少なくとも、２つの第１・第２支持リングと、この第１支持リングに設けた複数本の拡縮する第１脚〜第３脚と、この第１脚〜第３脚と前記第２支持リングを繋ぐ複数本の第１リンク〜第３リンクを備える構成とした高架式等の給水栓。
【請求項２】
地中、又は地上の消火栓に着脱自在に設けた第１管と、この第１管に設けた弁筐と、この弁筐に設けた支持管となる第５管と、この第５管に、着脱自在に設けた複数の給水管であって、少なくとも、二本の管で、かつこの二本の管は、それぞれ着脱自在とした第６管、並びに第８管であり、かつこの第８管の上端には開口を有する高架式等の給水栓において、
前記第１管に遊嵌した、少なくとも、２つの第１・第２支持リングと、この第１支持リングに設けた複数本の拡縮する第１脚〜第３脚と、この第１脚〜第３脚と前記第２支持リングを繋ぐ複数本の第１リンク〜第３リンクを備える構成とした高架式等の給水栓。
【請求項３】
前記回転機構は、前記第２管に外嵌した固定管となる第３管と、前記第２管に外嵌しかつ回転自在に設けた回転管となる第４管と、前記第２管と前記第４管の外嵌嵌合部に設けた、滑りシート、滑り軸捲装材、又は回転面保護材の何れかでなる第１滑り材と、前記第３管の上端に設けられ前記第４管を支持する、滑りシート、滑り軸捲装材、又は回転面保護材の何れかでなる、望ましくはスラスト式の第２滑り材と、前記第４管に設けた支持管となる前記第５管と、で構成した請求項１に記載の高架式等の給水栓。
【請求項４】
前記第１支持リングは、前記第１管の外周面に沿って、上下動可能とする構成とした請求項１又は２に記載の高架式等の給水栓。
【請求項５】
前記弁筐は、弁室に内設した弁体と、この弁体を、支持、及び操作する軸と、この軸に設け、かつ外側に設けたハンドルと、を備える構成とした請求項１又は２に記載の高架式等の給水栓。
【請求項６】
前記第３管の上端を、前記第４管の下端の覆い片で外嵌する構成とした請求項３に記載の高架式等の給水栓。
【請求項７】
第５管〜第７管の繋ぎ箇所（繋ぎ目）は、カムロックで連結する構成とした請求項１又は２に記載の高架式等の給水栓。
【請求項８】
前記第１脚〜前記第３脚には、拡張、かつ安定用のベースを備える構成とした請求項１又は２に記載の高架式等の給水栓。
【請求項９】
前記第２管、及び／又は、前記第３管に、給水栓を備える構成とした請求項３に記載の高架式等の給水栓。
【請求項１０】
前記第５管に、エルボを接続する構成とした請求項１又は２に記載の高架式等の給水栓。
【発明の詳細な説明】
【技術分野】
【０００１】
本発明は、高架式等の給水栓に関し、例えば、給水車用とか、高所用給水栓、或いは緊急時の低所給水栓等として役立つ高架式等の給水栓に関する。
【背景技術】
【０００２】
従来、この種の給水栓に関連する文献が存在する。例えば、登録実用新案第３０１３１６６号公報に記載の考案（特許文献１）と、登録実用新案第３１３５８９１号公報に記載の考案（特許文献２）とがある。特許文献１は、高架式の給水栓で、地中に埋設した支柱と、給水管にフレキシブルジョイントを介して接続する複数本の配管と、この複数本の配管にそれぞれ備えた、給水バルブ、減圧弁、回転子等と、前記支柱に設けたワイヤを、複数本の配管の一つに係止し、複数本の配管を支持する構成であり、フレキシブルジョイントを採用することによる配管工事の容易化と、回転子の回転で、複数本の配管の方向を変更可能とすることにある。特許文献２は、給水栓の取水口に設けた接続管と、接続管に繋がれた分岐管を介して複数本の水栓管を繋ぐ構造であり、この接続管と、分岐管、及び複数本の水栓管を簡易、かつスムースに接続可能とする構造であり、組立ての容易化と、ワンタッチでの使用を可能とする。
【先行技術文献】
【特許文献】
【０００３】
【特許文献１】登録実用新案第３０１３１６６号公報
【特許文献２】登録実用新案第３１３５８９１号公報
【発明の概要】
【発明が解決しようとする課題】
【０００４】
前記特許文献１は、高架式の給水栓ではあるが、組立て分解方式ではない。従って、本発明が意図する目的、即ち、容易な搬送と、その搬送を図るための組立て分解方式でなく、かつ目的達成の構造は備えていない。
【０００５】
また、前記特許文献２は、緊急時の給水栓セットであり、組立て分解方式ではない。従って、特許文献１と同様に、本発明が意図する目的、かつ目的達成の構造は備えていない。
【課題を解決するための手段】
【０００６】
本発明は、高架式等の給水栓において、容易な搬送と、その搬送を図るための組立て分解方式、かつ目的達成の構造を備えることを提案する。そして、提案を達成する手段として、最適な、請求項１〜請求項１０を開示する。
【発明の効果】
【０００７】
請求項１の発明は、地中、又は地上の消火栓に着脱自在に設けた第１管と、第１管に設け、かつ着脱自在とした弁筐と、弁筐に設けた支持管となる第２管と、第２管に回転機構を介して連繋する第５管と、第５管に、着脱自在に設けた複数の給水管であって、少なくとも、二本の管で、かつ二本の管は、それぞれ着脱自在とした第６管、並びに第８管であり、かつ第８管の上端には開口を有する高架式等の給水栓において、
第１管に遊嵌した、少なくとも、２つの第１・第２支持リングと、第１支持リングに設けた複数本の拡縮する第１脚〜第３脚と、第１脚〜第３脚と第２支持リングを繋ぐ複数本の第１リンク〜第３リンクを備える構成とした高架式等の給水栓である。
【０００８】
また、請求項２の発明は、地中、又は地上の消火栓に着脱自在に設けた第１管と、第１管に設けた弁筐と、弁筐に設けた支持管となる第５管と、第５管に、着脱自在に設けた複数の給水管であって、少なくとも、二本の管で、かつ二本の管は、それぞれ着脱自在とした第６管、並びに第８管であり、かつ第８管の上端には開口を有する高架式等の給水栓において、
第１管に遊嵌した、少なくとも、２つの第１・第２支持リングと、第１支持リングに設けた複数本の拡縮する第１脚〜第３脚と、第１脚〜第３脚と第２支持リングを繋ぐ複数本の第１リンク〜第３リンクを備える構成とした高架式等の給水栓である。
これにより、少なくとも、高架式等の給水栓において、容易な搬送と、その搬送を図るための組立て分解方式、かつ目的達成の構造を備える提案ができる。また、第１・第２支持リングと第１脚〜第３脚、及び第１リンク〜第３リンクの構成としたことで、立設目的の基礎が確立される、また組立て、及び／又は、分解が図れることで、給水栓の活用が図れる特徴がある。
【０００９】
請求項３の発明では、回転機構は、第２管に外嵌した固定管となる第３管と、前記第２管に外嵌しかつ回転自在に設けた回転管となる第４管と、第２管と第４管の外嵌嵌合部に設けた、滑りシート、滑り軸捲装材、又は回転面保護材の何れかでなる第１滑り材と、第３管の上端に設けられ第４管を支持する、滑りシート、滑り軸捲装材、又は回転面保護材の何れかでなる、望ましくはスラスト式の第２滑り材と、第４管に設けた支持管となる第５管と、で構成した高架式等の給水栓である。
これにより、請求項１の目的達成と、特徴達成に有益な構造である。また、回転機構は、第２管に外嵌した固定管となる第３管、及び外嵌、かつ回転自在に設けた回転管でなる第４管を、第２管に外嵌して構成する。これにより、簡単な構造と、操作の容易性が確保された、回転機構を提供できる。
【００１０】
請求項４の発明は、第１支持リングは、第１管の外周面に沿って、上下動可能とする構成とした高架式等の給水栓である。
これにより、請求項１・２の目的達成と、特徴達成に有益な構造である。
【００１１】
請求項５の発明は、弁筐は、弁室に内設した弁体と、弁体を、支持、及び操作する軸と、軸に設け、かつ外側に設けたハンドルと、を備える構成とした高架式等の給水栓である。
これにより、請求項１・２の目的達成と、特徴達成に有益な構造である。また、第３管に設けた弁体(ボールバルブ)は、簡単な構造であり、かつ操作の容易性が確保でき、併せて、給水管からの取水を、確実、かつワンタッチで停止かつ開始できる特徴がある。
【００１２】
請求項６の発明は、第３管の上端を、第４管の下端の覆い片で外嵌する構成とした高架式等の給水栓である。
これにより、請求項１・２の目的達成と、特徴達成に有益な構造である。また、配管の簡略化と、低コスト化、及び／又は、管理の容易化等に寄与できる。
【００１３】
請求項７の発明は、第５管〜第７管の繋ぎ箇所（繋ぎ目）は、カムロック(カムロック機構)で連結する構成とした高架式等の給水栓である。
これにより、請求項１等の目的達成と、特徴達成に有益な構造である。また、本装置の配管の簡略化と、低コスト化、及び／又は、管理の容易化等に寄与できる。
【００１４】
請求項８の発明は、第１脚〜第３脚には、拡張、かつ安定用のベースを備える構成とした高架式等の給水栓である。
これにより、請求項１等の目的達成と、特徴達成に有益な構造である。また、本装置の安定設置と、転倒防止に有効である。
【００１５】
請求項９の発明は、第３管、又は第４管に、給水栓を備える構成とした高架式等の給水栓である。
これにより、請求項１等の目的達成と、特徴達成に有益な構造である。また、本装置を緊急時の給水管として有効利用と、生活水、又は飲用水として利用が図れる特徴がある。
【００１６】
請求項１０の発明は、第５管に、エルボを接続する構成とした高架式等の給水栓である。
これにより、請求項１等の目的達成と、特徴達成に有益な構造である。また、本装置を緊急時の給水管として有効利用と、生活水、又は飲用水として利用等の多目的に適する特徴がある。
【図面の簡単な説明】
【００１７】
【図１】高架式等の給水栓(本装置／本発明)により、給水車に、給水(送水)する状態を示した模式図
【図２−１】本発明の全体を示す正面図で、給水管が回転式(回転可能)の構造
【図２−２】図２−１の要部を示した、一部を断面視した正面図
【図２−３】本発明の全体を示す正面図で、給水栓が固定式(回転しない)の構造
【図３−１】本発明を底面視した脚と第１管の関係を示した端面図
【図３−２】図３−１の要部を示した、一部を断面にした端面図
【図４】本発明を分解し、第１管、弁筐と第２管〜第５管の一組と、第６管〜第８管を個別に示した図であり、第１管〜第５管等は、必要により、一部を断面視した正面図、その他の第６管〜第８管は正面図
【図５】（イ）は本発明のハンドルを示した俯瞰図、（ロ）はハンドルの解放状態の俯瞰図
【図６】本発明の第１管と脚の関係を示した俯瞰図
【図７−１】本発明の給水管が回転式の構造に採用する、弁筐と第２管〜第５管の関係を示した拡大正面図
【図７−２】図７−１の断面図
【図７−３】本発明の給水栓が固定式の構造に採用する、弁筐と第５管の関係を示した拡大正面図
【図７−４】図７−３の断面図
【図７−５】本発明の弁筐の要部拡大俯瞰図
【図７−６】図７−１の要部の拡大俯瞰図
【図７−７】緊急用の給水栓を備える実施形態の拡大俯瞰図
【図８】本発明の第６管〜第８管に関する下端開口とカムロックを示した拡大仰視図
【図９−１】本発明の脚用のベース台の拡大底面図
【図９−２】本発明のベース台と脚との関係を示した要部の拡大正面図
【図９−３】本発明のベース台の要部の拡大正面図
【図９−４】図９−３の立設した要部の拡大正面図
【図１０】本発明の地中消化栓(給水管等)に接続した一例の全体図
【図１１】本発明の地上消火栓(給水管等)に接続した一例の全体図
【図１２−１】本発明の回転式でなる高架式の変形例であって、地上高さを下げた、好ましい一例の正面図
【図１２−２】本発明の固定式でなる高架式の変形例であって、地上高さを下げた、好ましい一例の正面図
【図１３−１】本発明の回転式でなる高架式等の他の変形例であって、エルボ使用の好ましい一例の正面図
【図１３−２】本発明の固定式でなる高架式等の他の変形例であって、エルボ使用の好ましい一例の正面図
【発明を実施するための形態】
【００１８】
本発明の好ましい、一実施例を説明する。図２−１、図２−２(図２−３は除く)、又は図１０と、図１１等の全体を示した各図と、図７−１、図７−２等(図７−３、図７−４は除く)の要部を示した各図において、第１管１、この第１管１に設けた弁筐２、この弁筐２に設けた支持管となる第２管３、この第２管３に外嵌された第３管５、第４管６、及びこの第４管６に設けた第５管７で成る、一組の配管と、この第５管７に繋ぐ複数の給水管である、少なくとも三本の管でなる第６管８〜第８管１０と、で構成されている。以下、前記第１管１〜第８管１０の付帯設備と構成を説明する。
【００１９】
第１管１には、２つ割り形態の第１リング１ｄと、管体の第２リング１ｅが外嵌されており、この第１リング１ｄは、第１管１に添って昇降可能であり、第２リング１ｅは、第１管１に固止されている。この第１リング１ｄには、少なくとも、三本の第１脚１３−１〜第３脚１３−３が枢着されている。また、この第１リング１ｄの昇降で、三本の第１脚１３−１〜第３脚１３−３が拡縮する構造である。その仕組みの一例を説明すると、三本の第１脚１３〜第３脚１３−３と、第２リング１ｅの間には、三本の第１リンク１２−１〜第３リンク１２−３が枢着されており、この第１リンク１２−１〜第３リンク１２−３は、第１リング１ｄの昇降で折畳まれる（図４参照）。尚、第１リング１ｄは、自身に設けた止め具１４の緊締で、第１管１に固止され、又は止め具１４の緊締解除で拡縮し、前記の昇降が図れる。図中１７は設置足を示す。設置足１７は、例えばプラスチック、ゴム、鉄、及び／又はこれらの複合材料から作成できるが、これらに限定されない。また、１８は第１管１の下端１ｂ(一方開口、以下同じ)に設けた取付け口である。
【００２０】
この第１管１の上端１ａ(他方開口、以下同じ)にはフランジ１５が設けられており、このフランジ１５には、弁筐２のフランジ２０が固止されている。即ち、第１管１の上端１ａに弁筐２が取付けられる。そして、この弁筐２は、図７−２(図７−４の例も同じ)の如く、弁室２１と、弁室２１を開閉するボールバルブ式の弁体２２と、弁体２２を支持する弁棒２３と、この弁棒２３を操作する弁操作のレバー２４とで構成されている。図中２５は弁筐２の通路を示す。従って、レバー２４を操作して、弁体２２を可動し、通路２５を、第１管１の通路１６(水路)及び第２管３の通路３０に、それぞれ接続することで、地中、又は地上の給水管１００に繋がり、給水(取水)ができる。また、弁体２２を閉鎖方向に可動し、通路２５を第１管１の通路１６から閉鎖することで、給水は停止される。
【００２１】
第３管５の開口５０を第２管３に差込支持する。尚、第３管５は、弁筐２の上に支持される。第２管３の外周面３ｃの下方３ｂには、第３管５（の内周面５ｃ）が外嵌、かつ固止されている(図示しないが遊嵌も有り得る)。また、上方３ｄには、第４管６（の内周面６ｃが）が外嵌、かつ回転自在(遊嵌)に支持されている。従って、第４管６は、第１管１、及び／又は、弁筐２に回転自在に支持される。この回転を担持するための手段として、例えば、第４管６の下端６ｂは、第３管５の上端５ａに設けたスラストベアリングの第２滑り材１０１(その他、例えば、滑りシート、滑り軸捲装材、又は回転面保護材、グリス等の何れかでなる)を介して支持する。また、第２管３の外周面３ｃと、この第４管６の内周面６ｃとの間に、第１滑り材１０２(例えば、滑りシート、滑り軸捲装材、又は回転面保護材、グリス等の何れかでなる)が装着されている。尚、この第４管６の下端６ｂの覆い片６０は、前記第３管５の上端５ａを外嵌する構成とした。これにより、第４管６は、後述するハンドル操作で、容易な回転が可能とり、かつこの回転の動きが保証される特徴がある。この構造が請求項に記載する回転機構である。
【００２２】
また、第２管３、及び／又は、第３管５には、図７−７に示すように、低所用の給水栓４００（例えば、給水管とコック）を備えることも可能であり、この低所用の給水栓等は、例えば、緊急時用として有効である。
【００２３】
そして、図示の如く、第４管６の上端６ａ(一方開口)を、第５管７の下端７ｂの下端開口７１に、差込み支持する。この第５管７の上端７ａに設けた溝７０には、繋ぐ予定の第６管８の下端８ｂに設けたカムロック１０３の複数のカム１０３ａが締付けられる。このように、カム１０３ａが溝７０に嵌合係止されることで、第５管７に第６管８の下端８ｂの下端開口が固定される。
【００２４】
さらに、この第６管８の上端８ａには、第７管９の下端９ｂ(他方開口)が外嵌支持されるとともに、カムロック１０３が締付けられる。このカム１０３ａが、上端８ａの溝８０に嵌合係止されることで、第６管８に第７管９の下端９ｂの下端開口が固定される。同様に第７管９の上端９ａには、第８管１０の下端１０ｂが外嵌支持されるとともに、カムロック１０３が締付けられる。このカム１０３ａが、上端９ａの溝９０に嵌合係止されることで、第７管９に第８管１０の下端１０ｂの下端開口が固定される。この第８管１０の上端１０ａの開口にはホース１０４が取付けられる。
【００２５】
この例では、中間になる管、即ち、第６管８の上下端８ａ・８ｂには、カムロック１０３を備える(図４参照)。従って図示しないが、他の中間になる管も同様である。
【００２６】
また、好ましい、他の一実施例である。図２−３と、図７−３、図７−４においては、弁筐２に直接第５管７を設ける固定式給水栓の構造であり、その他は、前述の回転式の給水栓に準ずる。低コスト化と、構造の簡略化、並びに汎用性等を図る。この他の一実施例では、ハンドル２００を設けることは、原則として、不要である。しかし、操作の容易性、又はバランス感覚等により設けることも可能である。
【００２７】
尚、弁体２２と、第５管７〜第８管１０は、符号は付さないが通路（水路）を備える。
【００２８】
図９−１〜図９−４に図示したベース１０５は、ベース基部１０５ａと、このベース基部１０５ａに枢着した、少なくとも、三枚の第１ベース板１０５−１〜第３ベース板１０５−３と、中心に設けた管路１０６と、管路１０６に繋がる吸込管１０７とを備えている。図９−１〜図９−３の如く、この複数のベース板１０５−１〜１０５−３に、第１脚１３−１〜第３脚１３−３を受け入れることで、給水栓の転倒防止等に役立つ。また、このベース１０５の吸込管１０７には、図１１の如く、消火栓３０１（給水栓）のホース１０４に繋ぐ構造である。尚、第１ベース板１０５−１〜第３ベース板１０５−３は、図９−４の如く、折畳みできる。
【００２９】
図中２００は給水栓に取付けるハンドルであり、図５の如く、ハンドル本体２０１と、開閉式の挟持管２０２と、止め具２０３とで構成されており、この例では第６管８に支持されている。このハンドル２００を回転することで、第４管６を始めとして、第５管７、第６管８〜第８管１０が、例えば、３６０度回転する。
【００３０】
図１２−１は、高架式の変形例であって、地上高さＨを下げた、好ましい一例の正面図であって、例えば、図２−１等に示した、第７管９を省略し、第５管７の上端７ａに、第６管８の下端８ｂの開口を差込み支持し、カムロック１０３で緊締した状態である。中間形の給水栓の一例である。その他は、前述の回転式の構造等に準ずる。尚、回転式で説明したが、図１２−２のように、固定式においても採用可能である。
また、図１３は、本発明の広範な用途の他の変形例であって、エルボ４０１(エルボ管)を使用し、このエルボ４０１の開口４０２より給水するか、又はホース１０４を接続する等して利用する。低所形の給水栓の一例である。エルボ４０１の下端開口は、第４管６の上端６ａ、又は第５管７の上端７ａ、図示しないが、その他の接続管の上端等に被嵌される。尚、回転式で説明したが、図１３−２のように、固定式においても採用可能である。また、図示しないが、エルボ４０１の下端には、溝が設けられており、この溝に第５管７に設けたカムロック１０３のカム１０３ａが締め付けられる。その他は、前述の回転式の構造等に準ずる。
【００３１】
以下、組付け方法に関して説明すると、第１管１と弁筐２と、第２管３〜第５管７は、原則として、図４の如く、一組であるが、フランジ１５と、フランジ２０を切り離すことで、更に分解可能である。フランジ１５と、フランジ２０を螺子止めで固定できる。一方、第６管８〜第８管１０は、カムロック１０３の解除で分解できる。また、カムロック１０３の締付けで固定できる。少なくとも、上記の一組と、第６管８〜第８管１０の分解状態では、普通車は当然のこと、軽車輌でも搬送が可能である。この軽車輌での搬送は、緊急時等に非常に重宝する。
【００３２】
使用方法を説明すると、レバー２４を操作し、弁室２１を開口し、弁筐２の通路２５と、第１管１の通路１６、及び第２管３の通路３０を繋ぐことで、第６管８〜第８管１０へと送水される。この送水された水は、ホース１０４を介して、例えば、給水車３０２に送水される。また、図示しないが、応急給水栓に送水される。また、給水管１００より、送水される。
【００３３】
前述した各実施例等は、本発明の好ましい一例の説明である。各実施例とか図面に限定されない。従って、発明の趣旨の範囲において構成の一部を変更する構造とか、同じ特徴と効果を達成できる構造、等は、本発明の範疇である。
【符号の説明】
【００３４】
１  第１管
１ａ  上端
１ｂ  下端
１ｄ  第１リング
１ｅ  第２リング
１２−１〜１２−３  第１リンク〜第３リンク
１３−１〜１３−３  第１脚〜第３脚
１４  止め具
１５  フランジ
１６  通路
１７  設置足
１８  取付け口
２  弁筐
２０  フランジ
２１  弁室
２２  弁体
２３  弁棒
２４  レバー
２５  通路
３  第２管
３ｂ  下方
３ｃ  外周面
３ｄ  上方
３０  通路
５  第３管
５ａ  上端
５ｃ  内周面
５０  開口
６  第４管
６ａ  上端
６ｂ  下端
６ｃ  内周面
６０  覆い片
７  第５管
７ａ  上端
７ｂ  下端
７０  溝
７１  下端開口
８  第６管
８ａ  上端
８ｂ  下端
８０  溝
９  第７管
９ａ  上端
９ｂ  下端
９０  溝
１０  第８管
１０ａ  上端
１０ｂ  下端
１００  給水管
１０１  第２滑り材
１０２  第１滑り材
１０３  カムロック
１０３ａ  カム
１０４  ホース
１０５  ベース
１０５ａ  ベース基部
１０５−１〜１０５−３  第１ベース板〜第３ベース板
１０６  管路
１０７  吸込管
２００  ハンドル
２０１  ハンドル本体
２０２  挟持管
２０３  止め具
３０１  消火栓
３０２  給水車
４００  給水栓
４０１  エルボ
４０２  開口
Ｈ  地上高さ
【図１】
2020066900.tif 000003
【図２−１】
2020066900.tif 000004
【図２−２】
2020066900.tif 000005
【図２−３】
2020066900.tif 000006
【図３−１】
2020066900.tif 000007
【図３−２】
2020066900.tif 000008
【図４】
2020066900.tif 000009
【図５】
2020066900.tif 000010
【図６】
2020066900.tif 000011
【図７−１】
2020066900.tif 000012
【図７−２】
2020066900.tif 000013
【図７−３】
2020066900.tif 000014
【図７−４】
2020066900.tif 000015
【図７−５】
2020066900.tif 000016
【図７−６】
2020066900.tif 000017
【図７−７】
2020066900.tif 000018
【図８】
2020066900.tif 000019
【図９−１】
2020066900.tif 000020
【図９−２】
2020066900.tif 000021
【図９−３】
2020066900.tif 000022
【図９−４】
2020066900.tif 000023
【図１０】
2020066900.tif 000024
【図１１】
2020066900.tif 000025
【図１２−１】
2020066900.tif 000026
【図１２−２】
2020066900.tif 000027
【図１３−１】
2020066900.tif 000028
【図１３−２】
2020066900.tif 000029